(57)【要約】【課題】  中間周波数信号の生成に影響を与える妨害信号を適切に除去できる送受信機１０を提供する。【解決手段】  受信信号は、除去フィルタ１１、バンドパスフィルタ１２及び中間周波数信号生成器１３を順番に通る。中間周波数信号レベル検出手段１７は中間周波数信号のレベルを検出する。抽出周波数走査手段１８は、妨害信号周波数検出期間では、除去フィルタを非作動状態に保持しつつ、抽出周波数をバンドパスフィルタの通過周波数帯域にわたり走査する。帯域内妨害信号周波数検出手段１９は、妨害信号周波数検出期間における抽出周波数の走査の結果、特定受信周波数とは周波数値の異なる抽出周波数であって中間周波数信号のレベルが最大となる抽出周波数を帯域内妨害信号周波数として検出する。第１の制御信号生成手段２０は、受信期間では、除去フィルタ１１の除去周波数が帯域内妨害信号周波数となるように、第１の制御信号を制御する。【選択図】      図１
2006129380.tif 000002
【特許請求の範囲】
【請求項１】
第１の制御信号により除去周波数を制御されて入力信号としての受信信号から該除去周波数の信号分を減衰させた信号を出力する除去フィルタ、
所望の受信周波数としての特定受信周波数を通過周波数帯域内に含み前記除去フィルタの出力信号から前記通過周波数帯域の信号分のみを通過させるバンドパスフィルタ、
前記バンドパスフィルタの出力信号の内、抽出周波数の信号分を中間周波数信号へ変換する中間周波数信号生成器、
中間周波数信号のレベルを検出するレベル検出手段、
妨害信号周波数検出期間では前記除去フィルタを非作動状態に保持しつつ前記抽出周波数を前記バンドパスフィルタの通過周波数帯域にわたり走査する抽出周波数走査手段、
前記妨害信号周波数検出期間における抽出周波数の走査の結果、特定受信周波数とは周波数値の異なる抽出周波数であって中間周波数信号のレベルが最大となる抽出周波数を帯域内妨害信号周波数として検出する帯域内妨害信号周波数検出手段、
受信期間では、除去周波数が前記帯域内妨害信号周波数となるように第１の制御信号を生成する第１の制御信号生成手段、及び
受信期間では、抽出周波数を特定受信周波数に設定する抽出周波数設定手段、
を有していることを特徴とする送受信機。
【請求項２】
前記バンドパスフィルタは、第２の制御信号により通過周波数帯域の中心周波数を制御される周波数可変バンドパスフィルタであり、
前記抽出周波数走査手段は、妨害信号周波数検出期間では、前記中心周波数が前記特定受信周波数となる第２の制御信号を前記周波数可変バンドパスフィルタへ送りつつ、抽出周波数を走査する、
ことを特徴とする請求項１記載の送受信機。
【請求項３】
特定受信周波数は前記送受信機のチャンネル周波数であり、帯域内妨害信号周波数と該帯域内妨害信号周波数を検出した時の特定受信周波数に対応するチャンネルとを対にして記憶する帯域内妨害信号周波数記憶手段、及び
受信期間に、ユーザが選択したチャンネルに対してそれと対関係にある帯域内妨害信号周波数が前記帯域内妨害信号周波数記憶手段に記憶されているとき、該帯域内妨害信号周波数を読み出して、該帯域内妨害信号周波数に対応する第１の制御信号を生成する前記第１の制御信号生成手段、
を有していることを特徴とする請求項１又は２記載の送受信機。
【請求項４】
１回の妨害信号周波数検出期間において、全部のチャンネルについて各チャンネルの特定受信周波数に対応する帯域内妨害信号周波数を検出する前記帯域内妨害信号周波数検出手段、及び
全部のチャンネルに対して各チャンネルと各チャンネルごとの帯域内妨害信号周波数とを対にして記憶する前記帯域内妨害信号周波数記憶手段、
を有していることを特徴とする請求項３記載の送受信機。
【請求項５】
除去周波数微調整期間では、抽出周波数を特定受信周波数に維持する前記中間周波数生成器、
除去周波数微調整期間では、除去周波数を前記帯域内妨害信号周波数にする第１の制御信号のレベルに対して該レベルを含む所定レベル範囲内で第１の制御信号を変化させる前記第１の制御信号生成手段、
除去周波数微調整期間における第１の制御信号の変化の結果、中間周波数信号のレベルが最小になる第１の制御信号を最適制御信号として検出する最適制御信号検出手段、及び
受信期間では最適制御信号を第１の制御信号として生成する前記第１の制御信号生成手段、
を有していることを特徴とする請求項１〜４のいずれかに記載の送受信機。
【請求項６】
第１の制御信号により除去周波数を制御されて入力信号としての受信信号から該除去周波数の信号分を減衰させた信号を出力する除去フィルタ、
所望の受信周波数としての特定受信周波数を通過周波数帯域内に含み前記除去フィルタの出力信号から前記通過周波数帯域の信号分のみを通過させるバンドパスフィルタ、
前記バンドパスフィルタの出力信号の内、抽出周波数の信号分を中間周波数信号へ変換する中間周波数信号生成器、
中間周波数信号のレベルを検出するレベル検出手段、
妨害信号周波数検出期間では前記抽出周波数を特定受信周波数に設定しつつ前記除去周波数が前記通過周波数帯域の外側の周波数帯域で走査するように前記第１の制御信号を変化させる除去周波数走査手段、
前記妨害信号周波数検出期間における除去周波数の走査の結果、中間周波数信号のレベルが最小となる除去周波数を帯域外妨害信号周波数として検出する帯域外妨害信号周波数検出手段、
受信期間では除去周波数が前記帯域外妨害信号周波数になる第１の制御信号を生成する第１の制御信号生成手段、及び
受信期間では、抽出周波数を特定受信周波数に設定する抽出周波数設定手段、
を有していることを特徴とする送受信機。
【請求項７】
前記特定受信周波数は前記送受信機のチャンネル周波数であり、前記帯域外妨害信号周波数と該帯域外妨害信号周波数を検出した時の特定受信周波数に対応するチャンネルとを対にして記憶する帯域外妨害信号周波数記憶手段、及び
受信期間に、ユーザが選択したチャンネルに対してそれと対関係にある帯域外妨害信号周波数が前記帯域外妨害信号周波数記憶手段に記憶されているとき、該帯域外妨害信号周波数を読み出して、該帯域外妨害信号周波数に対応する第１の制御信号を生成する前記第１の制御信号生成手段、
を有していることを特徴とする請求項６記載の送受信機。
【請求項８】
抽出周波数微調整期間では、除去周波数を帯域外妨害信号周波数に維持する前記第１の制御信号生成手段、
抽出周波数微調整期間では、抽出周波数を、特定受信周波数を含む所定範囲で変化させる前記中間周波数信号生成器、
抽出周波数微調整期間における抽出周波数の変化の結果、中間周波数信号のレベルが最小になる抽出周波数を最適抽出周波数として検出する最適制御信号検出手段、及び
受信期間では、抽出周波数を最適抽出周波数に設定する前記抽出周波数設定手段、
を有していることを特徴とする請求項６又は７記載の送受信機。
【請求項９】
第１の制御信号により除去周波数を制御されて入力信号としての受信信号から該除去周波数の信号分を減衰させた信号を出力する除去フィルタ、
所望の受信周波数としての特定受信周波数を通過周波数帯域内に含み前記除去フィルタの出力信号から前記通過周波数帯域の信号分のみを通過させるバンドパスフィルタ、
前記バンドパスフィルタの出力信号の内、抽出周波数の信号分を中間周波数信号へ変換する中間周波数信号生成器、
中間周波数信号のレベルを表示する中間周波数信号レベル表示器、及び
妨害信号周波数検出期間では抽出周波数を特定受信周波数に維持しつつ前記除去周波数が前記通過周波数帯域の外側の周波数帯域で走査するようにユーザが前記第１の制御信号を調整できるようにし、また、受信期間では、前記除去周波数がその走査範囲の任意の値に設定されるようにユーザが前記第１の制御信号を設定できるようにした除去フィルタ用ユーザ操作部材、
を有していることを特徴とする送受信機。
【発明の詳細な説明】
【技術分野】
【０００１】
本発明は、例えばトランシーバ等の送受信機に係り、詳しくはイメージ信号等の妨害信号を有効に排除できる送受信機に関するものである。
【背景技術】
【０００２】
特許文献１は、ラジオやテレビ等の受信専用機において、妨害信号としてのイメージ信号を排除するために、フロントエンドの前段に除去フィルタを設け、選局周波数に対してイメージ関係にある周波数の信号を除去フィルタで除去することを開示する（特許文献１の図１及び図４）。
【特許文献１】実開平４−８８１１９号公報
【発明の開示】
【発明が解決しようとする課題】
【０００３】
トランシーバにおいて、所定のチャンネルの電波を受信しているとき、最大の妨害信号は、該受信信号の周波数に対するイメージ周波数の信号とは限らない。使用場所等によりイメージ周波数から微妙にずれたり、イメージ周波数とは離れた周波数の信号が最大の妨害信号となることがあり得る。
【０００４】
特許文献１の受信機では、イメージ信号を除去することはできるが、イメージ信号とは別の大きな妨害信号がある場合に、該妨害信号を有効に除去することができない。
【０００５】
本発明の目的は、中間周波数信号に最大の悪影響を与えている妨害信号がイメージ信号であった場合はもちろん、イメージ信号以外の信号であっても、該妨害信号に有効に対処できる送受信機を提供することである。
【課題を解決するための手段】
【０００６】
本発明の送受信機によれば、除去周波数を調整自在としている除去フィルタが、フロントエンドの前段に配置され、受信信号から除去周波数の信号分を減衰させた信号をフロントエンドへ送る。一方、フロントエンドは、バンドパスフィルタと該バンドパスフィルタの後段に設けられる中間周波数信号生成器とを装備している。妨害信号周波数検出期間では、除去フィルタの作動を無効にして、中間周波数信号生成器の抽出周波数を、バンドパスフィルタの通過周波数帯域にわたり走査する。走査範囲の抽出周波数と中間周波数信号のレベルとの関係は、現在の受信環境に関係する。すなわち、中間周波数信号のレベルが高くなる抽出周波数（自局の周波数としての特定受信周波数を除く抽出周波数）は、妨害信号のレベルが高いことを意味する。受信期間では、抽出周波数が特定受信周波数に設定されるとともに、バンドパスフィルタを通過してくる妨害信号の内、最大の妨害信号の周波数が除去周波数となるように、除去フィルタが制御される。結果、受信期間では、最大の妨害信号が中間周波数信号生成器へ入力することが阻止され、これにより、中間周波数信号の品質が向上する。
【０００７】
本発明の別の送受信機によれば、バンドパスフィルタの通過帯域外の周波数の妨害信号が、中間周波数信号に与える影響を抑制する。すなわち、該別の送受信機によれば、妨害信号周波数検出期間において、中間信号生成器の抽出周波数が特定受信周波数に維持されつつ、除去フィルタの除去周波数が、バンドパスフィルタの通過帯域外において走査され、中間周波数信号のレベルが最小となる除去フィルタの除去周波数が帯域外妨害信号周波数として検出される。そして、受信期間では、該帯域妨害信号周波数が除去フィルタの除去周波数となるように設定される。結果、帯域外妨害信号周波数の受信信号は、バンドパスフィルタを通過することなく、除去フィルタにおいて除去され、中間周波数信号生成器の生成する中間周波数信号は、帯域外妨害信号周波数の妨害信号からの影響を最大限に抑制される。
【発明の効果】
【０００８】
本発明によれば、中間周波数信号生成器の抽出周波数を走査したり、除去フィルタの除去周波数を走査したりして、現実の受信環境下において大きな影響を与えている妨害信号が測定され、該測定に基づいて最大妨害信号と認定された信号の周波数が、特定受信周波数の受信期間では、除去フィルタの除去周波数とされて、除去フィルタにおいて除去される。したがって、中間周波数信号生成器における抽出周波数に対するイメージ周波数の妨害信号だけでなく、それ以外の周波数の信号が妨害信号となっている場合にも、有効に対処できる。
【発明を実施するための最良の形態】
【０００９】
図１は帯域内妨害信号に対処する送受信機１０の構成図である。送受信機１０は、除去フィルタ１１、バンドパスフィルタ１２、中間周波数信号生成器１３、中間周波数信号レベル検出手段１７、抽出周波数走査手段１８、帯域内妨害信号周波数検出手段１９、第１の制御信号生成手段２０及び抽出周波数設定手段２１を有している。除去フィルタ１１は、第１の制御信号により除去周波数を制御されて、入力信号としての受信信号から該除去周波数の信号分を減衰させた信号を出力する。バンドパスフィルタ１２は、所望の受信周波数としての特定受信周波数を通過周波数帯域内に含み、除去フィルタ１１の出力信号から通過周波数帯域の信号分のみを通過させる。中間周波数信号生成器１３は、バンドパスフィルタの出力信号の内、抽出周波数の信号分を中間周波数信号へ変換する。中間周波数信号レベル検出手段１７は、中間周波数信号のレベルを検出する。抽出周波数走査手段１８は、妨害信号周波数検出期間では、除去フィルタを非作動状態に保持しつつ、抽出周波数をバンドパスフィルタの通過周波数帯域にわたり走査する。帯域内妨害信号周波数検出手段１９は、妨害信号周波数検出期間における抽出周波数の走査の結果、特定受信周波数とは周波数値の異なる抽出周波数であって中間周波数信号のレベルが最大となる抽出周波数を帯域内妨害信号周波数として検出する。第１の制御信号生成手段２０は、受信期間では、除去周波数が帯域内妨害信号周波数となるように第１の制御信号を生成する。抽出周波数設定手段２１は、受信期間では、抽出周波数を特定受信周波数に設定する。
【００１０】
送受信機１０、及び後述の送受信機３０（図２）、送受信機４０（図３）、送受信機６０（図４）は、典型的には携帯自在のトランシーバである。トランシーバでは、複数のチャンネルが用意され、各チャンネルに対応して、相互に異なる特定受信周波数が設定されている。受信信号は、例えば、アンテナに到来する電波信号である。除去フィルタ１１は、例えば、図６に示される回路から構成される。バンドパスフィルタ１２及び中間周波数信号生成器１３は、例えば、図５に示すように、フロントエンド１０３を構成する。中間周波数信号レベル検出手段１７、抽出周波数走査手段１８、帯域内妨害信号周波数検出手段１９、第１の制御信号生成手段２０及び抽出周波数設定手段２１は、それらの各機能が、コンピュータ（例：図５のＣＰＵ１１５）が所定のプログラムを実行することにより実現されるものであってもよいし、所定のハードウェアにより実現されるものであってもよい。中間周波数信号生成器１３の出力としての中間周波数信号は、復調器へ送られて、復調され、その後、増幅器（図示せず）により振幅レベルを調整されてから、スピーカ（図示せず）より音声として出力される。
【００１１】
除去フィルタ１１は、典型的には、除去周波数の信号を完全に除去するものではなく、例えば、図７に示すように、除去周波数としてのカットオフ周波数ｆｃを含む狭い周波数帯域においてＲＦレベルを適当に減衰するものである。バンドパスフィルタ１２は、例えば、周波数可変バンドパスフィルタである。
【００１２】
抽出周波数の信号から中間周波数信号への中間周波数信号生成器１３における変換には、例えば局部発振器（例：図５の局部発振器１０８）が利用され、該局部発振器の発振周波数を抽出周波数に調整することにより、中間周波数信号の生成が行なわれる。中間周波数信号レベル検出手段１７において検出される中間周波数信号のレベルは例えばＲＳＳＩ（Received Signal Strength Indicator ：受信信号強度表示信号）と呼ばれるものである。抽出周波数走査手段１８は、妨害信号周波数検出期間において、除去フィルタを非作動状態に保持するために、（ａ）除去フィルタを迂回する線路へ該除去フィルタから切り替えることの他に、（ｂ）第１の制御信号を利用することもできる。例えば、第１の制御信号を無しにしたり、０にしたりすると、除去フィルタ１１の作動は無効になり、あらゆる周波数の信号が、除去フィルタ１１において除去されることなく、除去フィルタ１１を通過する。
【００１３】
なお、中間周波数信号生成器１３の入力側の信号や中間周波数信号に対し、ＡＧＣ（自動利得制御）が作動する場合があるが、ＡＧＣが作動すると、妨害信号が中間周波数信号に与えている影響を中間周波数信号のレベルに基づいて検出することに対して支障となるので、妨害信号周波数検出期間における中間周波数信号のレベルの測定期間では、ＡＧＣを解除する必要がある。また、帯域内妨害信号周波数検出期間は、特定受信周波数の受信信号を受信しない環境下に設定される。
【００１４】
中間周波数信号生成器１３における抽出周波数が、所望の受信周波数としての特定受信周波数とは異なるにもかかわらず、中間周波数信号生成器１３の出力としての中間周波数信号のレベルが高いということは、抽出周波数を特定受信周波数としたときの中間周波数信号、すなわちユーザが選択した受信信号に係る中間周波数信号へ与える影響が大きいことを意味する。したがって、受信期間では、第１の制御信号生成手段２０は、除去フィルタ１１の除去周波数が帯域内妨害信号周波数となるように、第１の制御信号を生成して、該帯域内妨害信号周波数がバンドパスフィルタ１２を経て中間周波数信号生成器１３へ入力されるのを阻止し、帯域内妨害信号周波数の信号が中間周波数信号に与える影響を抑制する。
【００１５】
図２は帯域内妨害信号に対処する別の送受信機３０の構成図である。送受信機３０において、送受信機１０の要素と同一の要素は、同符号により指示して、説明は省略する。相違点について述べると、バンドパスフィルタ１２は、第２の制御信号により通過周波数帯域の中心周波数を制御される周波数可変バンドパスフィルタとされる。抽出周波数走査手段１８は、妨害信号周波数検出期間では、中心周波数が特定受信周波数となる第２の制御信号を周波数可変バンドパスフィルタへ送りつつ、抽出周波数を走査する。
【００１６】
典型的なトランシーバでは、バンドパスフィルタ１２は周波数可変バンドパスフィルタであり、バンドパスフィルタ１２の通過信号の周波数帯域は、中間周波数信号生成器１３の抽出周波数に関係して変動し、抽出周波数と無関係な周波数の信号は、バンドパスフィルタ１２の通過を極力、抑制される。該周波数可変バンドパスフィルタの通過周波数帯域は、好ましくは、周波数可変バンドパスフィルタの中心周波数を所定チャンネルの受信周波数としたときに、該所定チャンネルの隣りのチャンネルの受信周波数を通過帯域外とするものである。受信期間の送受信機３０では、周波数可変バンドパスフィルタの中心周波数は、抽出周波数走査手段１８の抽出周波数に関係して切り替えられるようになっているが、典型的な送受信機３０では、妨害信号周波数検出期間では、周波数可変バンドパスフィルタの中心周波数を特定受信周波数に固定し、この固定状態におけるバンドパスフィルタ１２の通過帯域幅にわたり抽出周波数が走査されるように、抽出周波数走査手段１８が作動する。
【００１７】
送受信機３０の発展型では、特定受信周波数は送受信機３０のチャンネル周波数であり、帯域内妨害信号周波数記憶手段３３は、帯域内妨害信号周波数と該帯域内妨害信号周波数を検出した時の特定受信周波数に対応するチャンネルとを対にして記憶する。第１の制御信号生成手段２０は、受信期間に、ユーザが選択したチャンネルに対してそれと対関係にある帯域内妨害信号周波数が帯域内妨害信号周波数記憶手段３３に記憶されているとき、該帯域内妨害信号周波数を読み出して、該帯域内妨害信号周波数に対応する第１の制御信号を生成する。
【００１８】
トランシーバ等の送受信機では、送受信のために、代表的な複数個の特定受信周波数が複数個のチャンネルの受信周波数として設定されている。ユーザは、同日の同一地域におけるトランシーバの使用において、一時的に別のチャンネルを使用してから、再び、妨害信号周波数を検出したチャンネルを使用することがある。妨害信号周波数検出を実施したチャンネル（該チャンネルを「元チャンネル」と呼ぶことにする。）では、その妨害信号周波数が記憶されるので、別のチャンネルへ切替後、元チャンネルを再び使用するときには、元チャンネルに対して対関係の妨害信号周波数を帯域内妨害信号周波数記憶手段３３から読み出して、該妨害信号周波数を除去周波数とする。これにより、元チャンネルへ戻るごとの妨害信号周波数検出期間の出現を回避できる。
【００１９】
送受信機３０の別の発展型では、帯域内妨害信号周波数検出手段１９は、１回の妨害信号周波数検出期間において、全部のチャンネルについて各チャンネルの特定受信周波数に対応する帯域内妨害信号周波数を検出する。帯域内妨害信号周波数記憶手段３３は、全部のチャンネルに対して各チャンネルと各チャンネルごとの帯域内妨害信号周波数とを対にして記憶する。
【００２０】
帯域内妨害信号周波数検出手段１９は、ユーザが今回の送受信のためにどのチャンネルを選択するかは、任意である。ユーザが同日に同一地域内に継続的にいるときも、選択チャンネルは、送受信の環境や希望に応じて適宜、変更されることがある。妨害信号周波数検出期間は、一定時間ごと、又は、ユーザの指示に応じて、実行されてもよいが、妨害信号周波数検出期間が繰返し生じることは煩わしい。例えば、本日の所定地域における送受信機３０の使用に先立って（例：今回の作業やレジャーの開始時に）、送受信機の全部のチャンネルについて各チャンネルごとの帯域内妨害信号周波数の検出及び記憶を実施することにより、以降は、ユーザがどのチャンネルへ切り替えても、すでに、切替先チャンネルに対する妨害信号周波数が帯域内妨害信号周波数記憶手段３３に記憶されているので、該記憶されている妨害信号周波数を除去周波数とすることにより、チャンネル切替えごとの帯域内妨害信号周波数の探索を省略できる。
【００２１】
送受信機３０のさらに別の発展型では。除去周波数微調整が実施される。すなわち、中間周波数信号生成器１３は、除去周波数微調整期間では、抽出周波数を特定受信周波数に維持する。第１の制御信号生成手段２０は、除去周波数微調整期間では、除去周波数を帯域内妨害信号周波数にする第１の制御信号のレベルに対して該レベルを含む所定レベル範囲内で第１の制御信号を変化させる。最適制御信号検出手段３５は、除去周波数微調整期間における第１の制御信号の変化の結果、中間周波数信号のレベルが最小になる第１の制御信号を最適制御信号として検出する。第１の制御信号生成手段２０は、受信期間では最適制御信号を第１の制御信号として生成する。
【００２２】
特定受信周波数の受信期間において、特定受信周波数を中間周波数信号生成器１３の抽出周波数とした場合に、中間周波数信号に最大の影響を与える妨害信号の周波数が帯域内妨害信号周波数から微妙にずれていることがある。そこで、除去周波数微調整期間を設け、除去周波数微調整期間において、除去周波数を所定範囲内で走査して、中間周波数信号のレベルが最小になる除去周波数を見つけ、それを最終的な除去周波数に設定するすることにより、妨害信号の最適な除去を達成することができる。
【００２３】
なお、除去周波数微調整期間は、特定受信周波数の受信信号を受信しない環境下に設定される。抽出周波数としての特定受信周波数の受信信号を受信している環境下での除去周波数微調整では、特定受信周波数の受信信号のために、妨害信号周波数の検出が阻害されるからである。
【００２４】
抽出周波数設定手段２１は、受信期間において、特定受信周波数に係る制御信号を中間周波数信号生成器１３だけでなく周波数可変バンドパスフィルタとしてのバンドパスフィルタ１２へも送ることができる。これにより、受信期間では、周波数可変バンドパスフィルタとしてのバンドパスフィルタ１２は、その中心周波数を特定受信周波数に制御される。
【００２５】
図３は帯域外妨害信号に自動的に対処する送受信機４０の構成図である。送受信機４０は、除去フィルタ４１、バンドパスフィルタ４２、中間周波数信号生成器４３、除去周波数走査手段４８、帯域外妨害信号周波数検出手段４９、第１の制御信号生成手段５０及び抽出周波数設定手段５１を有し、さらに、適宜の追加として、帯域外妨害信号周波数記憶手段５３及び最適抽出周波数検出手段５５を有している。
【００２６】
除去フィルタ４１は、第１の制御信号により除去周波数を制御されて入力信号としての受信信号から該除去周波数の信号分を減衰させた信号を出力する。バンドパスフィルタ４２は、所望の受信周波数としての特定受信周波数を通過周波数帯域内に含み除去フィルタの出力信号から通過周波数帯域の信号分のみを通過させる。中間周波数信号生成器４３は、バンドパスフィルタの出力信号の内、抽出周波数の信号分を中間周波数信号へ変換する。中間周波数信号レベル検出手段４７は、中間周波数信号のレベルを検出する。除去周波数走査手段４８は、妨害信号周波数検出期間では抽出周波数を特定受信周波数に維持しつつ、除去周波数が通過周波数帯域の外側の周波数帯域で走査するように第１の制御信号を変化させる。帯域外妨害信号周波数検出手段４９は、妨害信号周波数検出期間における除去周波数の走査の結果、中間周波数信号のレベルが最小となる除去周波数を帯域外妨害信号周波数として検出する。第１の制御信号生成手段５０は、受信期間では除去周波数が帯域外妨害信号周波数になる第１の制御信号を生成する。抽出周波数設定手段５１は、受信期間では、抽出周波数を特定受信周波数に設定する。
【００２７】
除去フィルタ４１、バンドパスフィルタ４２、中間周波数信号生成器４３、中間周波数信号レベル検出手段４７及び抽出周波数設定手段５１は、それぞれ前述した送受信機３０の除去フィルタ１１、バンドパスフィルタ１２、中間周波数信号生成器１３、中間周波数信号レベル検出手段１７及び抽出周波数設定手段２１と構成が同一であり、帯域外妨害信号周波数検出手段４９、第１の制御信号生成手段５０、帯域外妨害信号周波数記憶手段５３、最適抽出周波数検出手段５５は、それぞれ送受信機３０の帯域内妨害信号周波数検出手段１９、第１の制御信号生成手段２０、帯域内妨害信号周波数記憶手段３３、最適制御信号検出手段３５に対して、処理対象を帯域内妨害信号周波数から帯域外妨害信号周波数へ変更した点において相違するのみである。送受信機４０では、送受信機３０の抽出周波数走査手段１８に代えて、除去周波数走査手段４８が設けられる。
【００２８】
中間周波数信号生成器４３における抽出周波数を特定受信周波数、例えば、送受信機４０の所定のチャンネルの周波数に維持しつつ、除去フィルタ４１の除去周波数をバンドパスフィルタ４２の通過帯域外で走査すると、中間周波数信号のレベルが変化し、このレベル変化は中間周波数信号レベル検出手段４７により検出される。除去周波数をバンドパスフィルタ４２の帯域外において走査して、中間周波数信号のレベルが最小となる時とは、除去フィルタ４１における除去周波数が最適化されていて、中間周波数信号に紛れ込んでいるノイズ分が少ないことを意味する。したがって、この時の除去周波数を帯域外妨害信号周波数とし、受信期間の除去周波数を帯域外妨害信号周波数に設定することにより、受信期間では、高品質の中間周波数信号を生成することができる。
【００２９】
また、帯域外妨害信号周波数検出期間は、特定受信周波数の受信信号を受信しない環境下に設定される。中間周波数信号に最も影響の少なくなる除去周波数が何であるかが明確化するからである。
【００３０】
送受信機４０の発展型では、特定受信周波数は送受信機４０のチャンネル周波数であり、帯域外妨害信号周波数記憶手段５３は、帯域外妨害信号周波数と該帯域外妨害信号周波数を検出した時の特定受信周波数に対応するチャンネルとを対にして記憶する。第１の制御信号生成手段５０は、受信期間に、ユーザが選択したチャンネルに対してそれと対関係にある帯域外妨害信号周波数が帯域外妨害信号周波数記憶手段に記憶されているとき、該帯域外妨害信号周波数を読み出して、該帯域外妨害信号周波数に対応する第１の制御信号を生成する。
【００３１】
例えばトランシーバとしての送受信機４０は送受信用に単一又は複数のチャンネルを有している。帯域外妨害信号周波数と該帯域外妨害信号周波数を検出した時の特定受信周波数に対応するチャンネルとを対とする記憶は、好ましくは全部のチャンネルで行なわれ、最低でも、少なくとも１個のチャンネルに対して行なわれる。こうして、ユーザが今回の受信用に選択したチャンネルに対して該チャンネルに対関係にある帯域外妨害信号周波数を帯域外妨害信号周波数記憶手段５３から読み出して、該帯域外妨害信号周波数を除去フィルタ４１の除去周波数とすることにより、チャンネルを切り替えるごとに妨害信号周波数検出期間が生じることを回避できる。
【００３２】
送受信機１０（図１）又は送受信機３０（図２）と送受信機４０（図３）とを統合してもよい。その統合した送受信機では、除去フィルタ１１と除去フィルタ４１とが直列に接続され、帯域内妨害信号周波数の妨害信号及び帯域外妨害信号周波数の妨害信号の両方を除去した信号から中間周波数信号を生成することができる。なお、統合した送受信機では、バンドパスフィルタ１２、中間周波数信号生成器１３及び中間周波数信号レベル検出手段１７の機能とバンドパスフィルタ４２、中間周波数信号生成器４３及び中間周波数信号レベル検出手段４７の機能とは同一であるので、例えば、送受信機４０の方のバンドパスフィルタ４２、中間周波数信号生成器４３及び中間周波数信号レベル検出手段４７が省略される。
【００３３】
送受信機４０のさらなる発展型では、第１の制御信号生成手段５０は、抽出周波数微調整期間では、除去周波数を帯域外妨害信号周波数に維持する。中間周波数信号生成器４３は、抽出周波数微調整期間では、抽出周波数を、特定受信周波数を含む所定範囲で変化させる。最適抽出周波数検出手段５５は、抽出周波数微調整期間における抽出周波数の変化の結果、中間周波数信号のレベルが最小になる抽出周波数を最適抽出周波数として検出する。抽出周波数設定手段５１は、受信期間では、抽出周波数を最適抽出周波数に設定する。
【００３４】
除去フィルタ４１の除去周波数を帯域外妨害信号周波数にしても、中間周波数信号生成器４３における抽出周波数を多少ずらすと、中間周波数信号のレベルが減少して、除去周波数に対してさらに影響の少ない特定受信周波数がみつかることがある。こうして、抽出周波数の微調整により、特定受信周波数を最適化することができ、中間周波数信号の品質が高まる。
【００３５】
なお、抽出周波数微調整期間は、送受信機４０が特定受信周波数の受信信号を受信していない環境下で行われる。除去周波数を周波数とする妨害信号が中間周波数信号に与えている影響の大きさを精確に測定する必要があるからである。
【００３６】
図４は帯域外妨害信号に手動で対処する送受信機６０の構成図である。送受信機６０は、除去フィルタ６１、バンドパスフィルタ６２、中間周波数信号レベル表示器６６及び除去フィルタ用ユーザ操作部材６７を有している。除去フィルタ６１は、第１の制御信号により除去周波数を制御されて入力信号としての受信信号から該除去周波数の信号分を減衰させた信号を出力する。バンドパスフィルタ６２は、所望の受信周波数としての特定受信周波数を通過周波数帯域内に含み除去フィルタの出力信号から通過周波数帯域の信号分のみを通過させる。中間周波数信号生成器６３は、バンドパスフィルタの出力信号の内、抽出周波数の信号分を中間周波数信号へ変換する。中間周波数信号レベル表示器６６は、中間周波数信号のレベルを表示する。除去フィルタ用ユーザ操作部材６７は、妨害信号周波数検出期間では抽出周波数を特定受信周波数に維持しつつ除去周波数が通過周波数帯域の外側の周波数帯域で走査するようにユーザが第１の制御信号を調整できるようにし、また、受信期間では、除去周波数がその走査範囲の任意の値に設定されるようにユーザが第１の制御信号を設定できるようにしている。
【００３７】
除去フィルタ６１、バンドパスフィルタ６２及び中間周波数信号生成器６３は、送受信機４０（図３）の除去フィルタ４１、バンドパスフィルタ４２及び中間周波数信号生成器４３と構成が同一となっている。妨害信号周波数検出期間では、ユーザは、除去フィルタ用ユーザ操作部材６７を操作することにより、中間周波数信号生成器６３の抽出周波数は特定受信周波数に維持されつつ、除去フィルタ６１の除去周波数が、通過周波数帯域外で走査される。ユーザは、その走査中、中間周波数信号レベル表示器６６の表示を目視し、中間周波数信号のレベルが最小になる除去周波数を目視で検知する。こうして検知された除去周波数は帯域外妨害信号周波数とされる。受信期間では、ユーザは、再び除去フィルタ用ユーザ操作部材６７を操作することにより、除去フィルタ６１における除去周波数が帯域外妨害信号周波数となるようにする。これにより、帯域外妨害信号周波数からの影響を抑制された高品質の中間周波数信号を得ることができる。
【実施例】
【００３８】
図５はトランシーバ１００の構成図である。受信信号としての電波は、アンテナ１０１に捕捉され、除去フィルタ１０２へ電気信号として入力される。除去フィルタ１０２は、入力信号から所定の除去周波数の信号分を除去して、残り分をフロントエンド１０３へ送る。除去フィルタ１０２の除去周波数は、ＣＰＵ１１５からの制御信号Ｃａにより制御される。フロントエンド１０３は、周波数可変バンドパスフィルタ（図示せず）及び混合器１０７を備えている。フロントエンド１０３の周波数可変バンドパスフィルタは、その通過周波数帯域の中心周波数をＣＰＵ１１５からの制御信号Ｃｂにより制御される。局部発振器１０８は、ＣＰＵ１１５により発振周波数を制御され、混合器１０７は、周波数可変バンドパスフィルタの出力と局部発振器１０８の発振信号とを混合し、混合信号としての中間周波数信号をＩＦ（中間周波数）回路１０４へ出力する。ＩＦ回路１０４は、中間周波数信号のＲＳＳＩを検出して、ＣＰＵ１１５へ送る。メモリ１１８，１１９はＣＰＵ１１５によりデータを読み書きされる。ＩＦ回路１０４の出力は、図示していない復調回路へ送られて、復調され、さらに、その後、適宜、増幅されて、スピーカ（図示せず）から音波となって出力される。
【００３９】
図６は除去フィルタ１０２の詳細な回路図である。入力端子１６０の構成自体は周知のものである。入力端子１６０は、コンデンサ１６４，１６５を介して出力端子１６１へ接続されている。コンデンサ１６４とコンデンサ１６５との接続点はコイル１６６、バリキャップ１６７を介して接地されている。制御端子１６２は、抵抗１６８を介してバリキャップ１６７の非接地側の端子へ接続されている。ＣＰＵ１１５からの制御信号Ｃａは制御端子１６２へ電圧として印加され、バリキャップ１６７は、制御端子１６２の印加電圧に応じて容量を変化させる。
【００４０】
図７は除去フィルタ１０２の出力としてのＲＦレベルとその周波数との関係を示している。除去フィルタ１０２のカットオフ周波数ｆｃは、バリキャップ１６７の容量、したがって、制御端子１６２の印加電圧により増減する。図７では、ＲＦレベルが、カットオフ周波数ｆｃにおいて、非減衰周波数範囲に対して１０ｄＢ低下している。
【００４１】
図８はトランシーバ１００における帯域内妨害信号用カットオフ周波数の決定方法のフローチャートである。Ｓ１８０では、受信周波数ｆｏを設定する。トランシーバ１００は、相手のトランシーバとの電波の送受信用に複数個のチャンネルを装備し、受信周波数ｆｏはその中の１個のチャンネルの周波数に該当している。トランシーバ１００においてＳ１８１では、フロントエンド１０３の周波数可変バンドパスフィルタの中心周波数をｆｏに固定し、周波数可変バンドパスフィルタの通過周波数帯域の一端の周波数から他端の周波数へフロントエンド１０３の抽出周波数を走査する。具体的には、ＣＰＵ１１５は、フロントエンド１０３の周波数可変バンドパスフィルタへ送る制御信号Ｃｂをｆｏに対応するものとし、局部発振器１０８への制御電圧を変化させて、局部発振器１０８の発振周波数を走査させる。Ｓ１８２では、Ｓ１８１の走査過程における局部発振器１０８の発振周波数、すなわちフロントエンド１０３における抽出周波数とＲＳＳＩとのデータを対応付けて検出し、メモリ１１８に記憶する。Ｓ１８３では、Ｓ１８２において記憶したデータから最大のＲＳＳＩを探すとともに、該最大のＲＳＳＩに対応付けられた抽出周波数を探して、該抽出周波数を帯域内妨害信号周波数とする。なお、Ｓ１８２において最大ＲＳＳＩとされるＲＳＳＩは、それに対応付けられた抽出周波数がｆｏとは別の周波数でなければならない。ｆｏは、受信期間では混合器１０７において抽出しなければならず、除去フィルタ１０２において除去周波数として除去されてはならないものであるからである。
【００４２】
Ｓ１８４では、Ｓ１８３で探し出した帯域内妨害信号周波数をカットオフ周波数ｆｃに決定し、除去フィルタ１０２におけるカットオフ周波数ｆｃが帯域内妨害信号周波数となるように、除去フィルタ１０２への制御信号Ｃａを送る。Ｓ１８４では、また、この時の制御信号Ｃａとチャンネルとを対応付けてメモリ１１９に記憶する。トランシーバ１００は、複数個のチャンネルを有し、ユーザが選択するチャンネルは適宜変更されるが、今回、帯域内妨害信号周波数としたｆｃに対応付けられているチャンネルが、同日の同一時間帯（例：昼間の時間帯及び夜の時間帯等）でかつ同一地域内において、再び、使用されたとき、メモリ１１９に記憶しておいたｆｃとチャンネルとの対応付け情報に基づきチャンネルから対応のカットオフ周波数ｆｃを検出して、カットオフ周波数ｆｃに対応する制御信号Ｃａを除去フィルタ１０２へ送ることにより、再度の帯域内妨害信号周波数の探索を省略できる。
【００４３】
Ｓ１８５では、カットオフ周波数ｆｃの微調整を行う。具体的には、フロントエンド１０３において、抽出周波数及び周波数可変バンドパスフィルタの中心周波数をｆｏに固定し、除去フィルタ１０２のカットオフ周波数ｆｃを、当初のｆｃを含む所定の狭い範囲で動かす。そして、ＲＳＳＩが最小値となったカットオフ周波数ｆｃを以降のカットオフ周波数ｆｃとして用いる。
【００４４】
なお、図８の各ステップは、トランシーバ１００が相手側トランシーバから受信周波数ｆｏの受信信号を受信しない環境下で実施される。
【００４５】
図９はトランシーバ１００における帯域外妨害信号用カットオフ周波数の自動決定方法のフローチャートである。Ｓ２００では、受信周波数ｆｏを設定する。Ｓ２０１では、フロントエンド１０３における周波数可変バンドパスフィルタの中心周波数及び混合器１０７の抽出周波数を共にｆｏに固定し、除去フィルタ１０２のカットオフ周波数ｆｃを周波数可変バンドパスフィルタの通過周波数帯域外で走査する。具体的には、ＣＰＵ１１５は、除去フィルタ１０２の周波数可変バンドパスフィルタへ送る制御信号Ｃｂをｆｏに対応するものとし、局部発振器１０８への制御電圧をｆｏに対応するものとし、除去フィルタ１０２への制御信号Ｃａを変化させる。Ｓ２０２では、Ｓ２０１の走査過程における各カットオフ周波数ｆｃとＲＳＳＩとを対応付けて検出し、メモリ１１８に記憶する。
【００４６】
Ｓ２０３では、Ｓ２０２において記憶したカットオフ周波数ｆｃの中から最小のＲＳＳＩに対応付けられているカットオフ周波数ｆｃを探して、該カットオフ周波数ｆｃを帯域外妨害信号周波数とする。Ｓ２０４では、Ｓ２０３で探し出した帯域外妨害信号周波数をカットオフ周波数ｆｃに決定し、除去フィルタ１０２におけるカットオフ周波数ｆｃが帯域外妨害信号周波数となるように、除去フィルタ１０２への制御信号Ｃａを制御する。Ｓ２０４では、また、この時の帯域外妨害信号周波数とチャンネルとを対応付けてメモリ１１９に記憶する。トランシーバ１００は、複数個のチャンネルを有し、ユーザが選択するチャンネルは適宜変更されるが、今回、検出した帯域外妨害信号周波数に係るチャンネルが、同一地域内で、かつ調査時刻からあまり時間が経っていない時刻に、再び、使用されたとき、メモリ１１９に記憶しておいた帯域外妨害信号周波数とチャンネルとの対応付けに基づきチャンネルから帯域外妨害信号周波数を割り出し、これにより、除去周波数走査による再度の帯域外妨害信号周波数の検出を省略できる。
【００４７】
Ｓ２０５では、受信周波数ｆｏの微調整を行う。具体的には、トランシーバ１００では、ｆｏを、当初のｆｏを含む所定の狭い範囲内で、変化させて、ＲＳＳＩが最小となるｆｏを探す。そして、その最小ＲＳＳＩに対応するｆｏを、以降のｆｏに設定する。
【００４８】
なお、Ｓ２００〜Ｓ２０５は、トランシーバ１００が相手側トランシーバから受信周波数ｆｏの受信信号を受信しない環境下で実施される。
【００４９】
図１０はトランシーバ１００における帯域外妨害信号用カットオフ周波数の手動決定方法のフローチャートである。ユーザが手動により帯域外妨害信号用カットオフ周波数を決定するためには、トランシーバ１００は、ｆｃ調整用操作部材、ＲＳＳＩ表示器、及びｆｏ調整用操作部材を装備する必要がある。ｆｃ走査用操作部材は、手動で制御信号Ｃａを変化させるものであり、結果、除去フィルタ１０２の除去周波数が変化するものである。ＲＳＳＩ表示器は、ＩＦ回路１０４において測定したＲＳＳＩをユーザへ表示するものである。ｆｏ調整用操作部材は、手動で制御信号Ｃｂ及び混合器１０７の抽出周波数を変化させるものであり、結果、フロントエンド１０３の周波数可変バンドパスフィルタの中心周波数及び混合器１０７の抽出周波数が変化するものである。
【００５０】
Ｓ２２０では、ユーザが、ｆｏ調整用操作部材を操作し、受信周波数ｆｏを設定する。これにより、周波数可変バンドパスフィルタの中心周波数及び混合器１０７の抽出周波数が共にｆｏに固定される。Ｓ２２１では、ユーザは、ｆｃ走査用操作部材を操作して、除去フィルタ１０２のカットオフ周波数ｆｃを周波数可変バンドパスフィルタの通過周波数帯域外で走査する。ユーザは、この走査期間において、ＲＳＳＩ表示器を監視し、ＲＳＳＩが最大となった時のｆｃ走査用操作部材の位置を見つけ出す。そして、Ｓ２２２では、この操作位置に対応するカットオフ周波数ｆｃを帯域外妨害信号周波数に決定する。Ｓ２２２では、また、ユーザは、別の操作部材を操作し、この時の帯域外妨害信号周波数と該当チャンネルとを対応付けてメモリ１１９に記憶させる。ユーザは、この後、ｆｃ調整用操作部材を操作して、除去フィルタ１０２の除去周波数を帯域外妨害信号周波数に設定するとともに、混合器１０７の抽出周波数を受信周波数ｆｏに設定する。Ｓ２２３はは、図９のＳ２０５と同一内容の処理である。
【００５１】
なお、Ｓ２２０〜Ｓ２２３は、トランシーバ１００が相手側トランシーバから受信周波数ｆｏの受信信号を受信しない環境下で実施される。
【図面の簡単な説明】
【００５２】
【図１】帯域内妨害信号に対処する送受信機の構成図である。
【図２】帯域内妨害信号に対処する別の送受信機の構成図である。
【図３】帯域外妨害信号に自動的に対処する送受信機の構成図である。
【図４】帯域外妨害信号に手動で対処する送受信機の構成図である。
【図５】トランシーバの構成図である。
【図６】除去フィルタの詳細な回路図である。
【図７】除去フィルタの出力としてのＲＦレベルとその周波数との関係を示す図である。
【図８】トランシーバにおける帯域内妨害信号用カットオフ周波数の決定方法のフローチャートである。
【図９】トランシーバにおける帯域外妨害信号用カットオフ周波数の自動決定方法のフローチャートである。
【図１０】トランシーバにおける帯域外妨害信号用カットオフ周波数の手動決定方法のフローチャートである。
【符号の説明】
【００５３】
１０：送受信機、１１：除去フィルタ、１２：バンドパスフィルタ、１３：中間周波数信号生成器、１７：中間周波数信号レベル検出手段、１８：抽出周波数走査手段、１９：帯域内妨害信号周波数検出手段、２０：第１の制御信号生成手段、２１：抽出周波数設定手段、３０：送受信機、３３：帯域内妨害信号周波数記憶手段、３５：最適制御信号検出手段、４０：送受信機、４１：除去フィルタ、４２：バンドパスフィルタ、４３：中間周波数信号生成器、４７：中間周波数信号レベル検出手段、４８：除去周波数走査手段、４９：帯域外妨害信号周波数検出手段、５０：第１のＸ８生成手段、５１：抽出周波数設定手段、５３：帯域外妨害信号周波数記憶手段、５５：最適抽出周波数検出手段、６０：送受信機、６１：除去フィルタ、６２：バンドパスフィルタ、６３：中間周波数信号生成器、６６：中間周波数信号レベル表示器、６７：除去フィルタ用ユーザ操作部材。
【図１】
2006129380.tif 000003
【図２】
2006129380.tif 000004
【図３】
2006129380.tif 000005
【図４】
2006129380.tif 000006
【図５】
2006129380.tif 000007
【図６】
2006129380.tif 000008
【図７】
2006129380.tif 000009
【図８】
2006129380.tif 000010
【図９】
2006129380.tif 000011
【図１０】
2006129380.tif 000012